(57)【要約】【課題】従来の車輌用ナンバープレートカバーにおいては前部ナンバープレート用と後部ナンバープレート用とを共用できず、別々のものを用意する必要があった。【解決手段】本発明の車輌用ナンバープレートカバーは、夫々少なくとも１つの透孔を形成した、前部及び後部車輌用ナンバープレートに被せる第１，第２の平板本体と、上記第１，第２の平板本体の透孔に夫々取り付けられる第１及び第２の取付治具とより成り、上記第１の取付治具が車輌用ナンバープレートを車輌に取り付けるための取付用ねじを挿通せしめるための透孔を有し、上記第２の取付治具が車輌用ナンバープレートの封印部に被さる筒状部分を有する。上記平板本体の裏面の一個所に上記取付ねじ用透孔を有する他の取付治具が一体に形成されている。【選択図】  図２
2004224275.tif 000002
【特許請求の範囲】
【請求項１】
少なくとも１つの透孔を形成した、車輌用ナンバープレートに被せる平板本体と、上記透孔に取り付けられる取付治具とより成り、上記取付治具が車輌用ナンバープレートを車輌に取り付けるための取付用ねじを挿通せしめるための透孔を有することを特徴とする車輌用ナンバープレートカバー。
【請求項２】
少なくとも１つの透孔を形成した、車輌用ナンバープレートに被せる平板本体と、上記透孔に取り付けられる取付治具とより成り、上記取付治具が車輌用ナンバープレートの封印部に被さる筒状部分を有することを特徴とする車輌用ナンバープレートカバー。
【請求項３】
夫々少なくとも１つの透孔を形成した、前部及び後部車輌用ナンバープレートに被せる第１，第２の平板本体と、上記第１，第２の平板本体の透孔に夫々取り付けられる第１及び第２の取付治具とより成り、上記第１の取付治具が車輌用ナンバープレートを車輌に取り付けるための取付用ねじを挿通せしめるための透孔を有し、上記第２の取付治具が車輌用ナンバープレートの封印部に被さる筒状部分を有することを特徴とする車輌用ナンバープレートカバー。
【請求項４】
上記平板本体の裏面の一個所に上記取付ねじ用透孔を有する他の取付治具が一体に形成されていることを特徴とする請求項１、２または３記載の車輌用ナンバープレートカバー。
【請求項５】
上記平板本体がその周縁に所定の高さの縁を有し、上記各取付治具の上記平板本体裏面からの突出高さが上記縁の高さ以下であることを特徴とする請求項１、２、３または４記載の車輌用ナンバープレートカバー。
【発明の詳細な説明】
【０００１】
【発明の属する技術分野】
本発明は車輌用ナンバープレートカバー、特に、前部及び後部ナンバープレートに共用可能な車輌用ナンバープレートカバーに関するものである。
【０００２】
【従来の技術】
車輌用ナンバープレートは既知である（例えば特許文献１）。
【０００３】
【特許文献１】
特開平９−７１１９３号（第１頁〜第３頁、図２）
【０００４】
このような車輌用ナンバープレートのうち後部ナンバープレートはその左側取付部が車輌に封印装置により封印されており前部プレートの取付部は封印されていない。
【０００５】
図７及び図８は従来の前部ナンバープレートカバー１を示し、この前部ナンバープレートカバー１は、矩形板状の平板本体２と、この平板本体２の周縁から直角に折曲って延びる所定の高さの縁部３と、上記平板本体２の裏面一側両端近傍に突設した、上記縁部３の高さより低い筒状取付具４と、車輌の前部ナンバープレート（図示せず）を車輌に固定するための取付ねじ（図示せず）を挿通するため上記平板本体２を通して上記筒状取付具４に軸方向に形成した透孔５とより成り、車輌に取り付けられているナンバープレートから取付ねじを外し、上記縁部３を利用して上記平板本体２を車輌の前部ナンバープレートの外周に嵌め込み、上記透孔５を介して取付ねじを車輌に形成されている前部ナンバープレート取付用のねじ孔に螺合することによって前部ナンバープレートカバー１を前部ナンバープレートと共に車輌に取り付けている。
【０００６】
また、従来の後部ナンバープレートカバー６は、図９及び図１０に示すように上記前部ナンバープレートカバー１と略同一であるが、上記平板本体２の一側両端近傍の一方に筒状取付具４を設けず、代りに車輌用後部ナンバープレートの封印部（図示せず）を逃げるに十分な大きさの穴７を形成している。
【０００７】
【発明が解決しようとする課題】
上記のように従来のナンバープレートカバーは前部用と後部用でその平板本体の構成が異なるため、ナンバープレートカバーは前部ナンバープレート用と後部ナンバープレート用の２種類の平板本体を用意しておく必要があり在庫負担が増し、在庫スペース及び売場占有スペースが大きくなり、また、コストが高くなる。また、後部ナンバープレートの封印部に係合するナンバープレートカバー部分は穴７であり、この部分でナンバープレートカバーが遊動する等の欠点があった。
【０００８】
本発明は上記の欠点を除くようにしたものである。
【０００９】
【課題を解決するための手段】
本発明の車輌用ナンバープレートカバーは、少なくとも１つの透孔を形成した、車輌用ナンバープレートに被せる平板本体と、上記透孔に取り付けられる取付治具とより成り、上記取付治具が車輌用ナンバープレートを車輌に取り付けるための取付用ねじを挿通せしめるための透孔を有することを特徴とする。
【００１０】
また、本発明の車輌用ナンバープレートカバーは、少なくとも１つの透孔を形成した、車輌用ナンバープレートに被せる平板本体と、上記透孔に取り付けられる取付治具とより成り、上記取付治具が車輌用ナンバープレートの封印部に被さる筒状部分を有することを特徴とする。
【００１１】
また、本発明の車輌用ナンバープレートカバーは、夫々少なくとも１つの透孔を形成した、前部及び後部車輌用ナンバープレートに被せる第１，第２の平板本体と、上記第１，第２の平板本体の透孔に夫々取り付けられる第１及び第２の取付治具とより成り、上記第１の取付治具が車輌用ナンバープレートを車輌に取り付けるための取付用ねじを挿通せしめるための透孔を有し、上記第２の取付治具が車輌用ナンバープレートの封印部に被さる筒状部分を有することを特徴とする。
【００１２】
上記平板本体の裏面の一個所に上記取付ねじ用透孔を有する他の取付治具が一体に形成されていることを特徴とする。
【００１３】
また、上記平板本体は、その周縁に所定の高さの縁を有し、上記各取付治具の上記平板本体裏面からの突出高さが上記縁の高さ以下であることを特徴とする。
【００１４】
【発明の実施の形態】
以下図面によって本発明の実施例を説明する。
【００１５】
上記図７〜１０に示した従来の車輌用ナンバープレートカバーと同一部分は同一符号を付して示し、その詳細な説明を省略する。
【００１６】
本発明においては図１及び図２に示すように前部及び後部ナンバープレートカバーに共通となる平板本体２を、平板本体２の裏面一側一端近傍にその高さが縁部３の高さより低い筒状取付具４を突設せしめ、上記平板本体２を通して上記筒状取付具４を軸方向に貫通する取付ねじ用の透孔５を設ける。また、上記平板本体２の一側他端近傍に第１及び第２の取付治具８及び９を夫々取り付けるための共通の小さな孔１０を設ける。この小さな孔１０の表面側には係合用段溝１１を形成する。
【００１７】
上記第１の取付治具８は、上記筒状取付具４の代りに用いるもので、図３及び図４に示すように上記平板本体２の上記小さな孔１０にその表面側から裏面側に嵌合される小径筒状部１２と、この筒状部１２の外周上端に形成した、上記小さな孔１０の表面側係合用段溝１１に係合されるフランジ部分１３と、軸方向に貫通する固定ねじ用の透孔１４とより成り、上記平板本体２の裏面から突出する高さが平板本体２の縁部３の高さより低いものとする。
【００１８】
上記第２の取付治具９は、図５及び図６に示すように上記小さな孔１０に嵌合される上方筒状部１５と、この筒状部１５の外周上端に形成した、上記小さな孔１０の表面側係合用段溝１１に係合される爪部１６と、上記上方筒状部１５の下端に一体に連結される下側を開いた大径の下方筒状部１７とより成り、この下方筒状部１７の高さは上記平板本体２の縁部３の高さより低く、その内径は後部ナンバープレートの封印部を逃げるに十分な大きさとする。
【００１９】
なお、本発明の他の実施例においては上記平板本体２の裏面一側一端近傍に筒状取付具４を突設することなく、代りにこの部分に、平板本体２の一側他端近傍に設けた小さな孔１０と同様の孔１０を形成し、これに上記第１の取付治具８を嵌合するようにしても良い。
【００２０】
本発明の車輌用ナンバープレートカバーは上記のような構成であるから平板本体２の小さな孔１０に第１の取付治具８を取り付ければこれを前部ナンバープレートカバー１とすることができ、また、小さな孔１０に第２の取付治具９を取り付ければこれを後部ナンバープレートカバー６とすることができる。
【００２１】
また、後部ナンバープレートの封印部には第２の取付治具９を介してナンバープレートカバーが係合するためナンバープレートが遊動する恐れが解消されるようになる。
【００２２】
【発明の効果】
上記のように本発明の車輌用ナンバープレートカバーによれば、前部及び後部ナンバープレートカバーの平板本体として同一のものを用いることができるため、在庫負担の低減、在庫スペース及び売場占有スペースを小さくでき、コストを低くできると共に、購入者も前部用、後部用を確認する必要なく購入することができる。
【図面の簡単な説明】
【図１】本発明の車輌用ナンバープレートカバーの平板本体の平面図である。
【図２】図１に示す平板本体の縦断面図である。
【図３】本発明の車輌用ナンバープレートカバーの第１の取付治具の平面図である。
【図４】図３に示す第１の取付治具の縦断面図である。
【図５】本発明の車輌用ナンバープレートカバーの第２の取付治具の平面図である。
【図６】図５に示す第２の取付治具の縦断面図である。
【図７】従来の前部ナンバープレートカバーの平面図である。
【図８】図７に示す前部ナンバープレートカバーの縦断面図である。
【図９】従来の後部ナンバープレートカバーの平面図である。
【図１０】図９に示す後部ナンバープレートカバーの縦断面図である。
【符号の説明】
１  前部ナンバープレートカバー
２  平板本体
３  縁部
４  筒状取付具
５  透孔
６  後部ナンバープレートカバー
７  穴
８  第１の取付治具
９  第２の取付治具
１０  孔
１１  係合用段溝
１２  小径筒状部
１３  フランジ部分
１４  透孔
１５  上方筒状部
１６  爪部
１７  下方筒状部
【図１】
2004224275.tif 000003
【図２】
2004224275.tif 000004
【図３】
2004224275.tif 000005
【図４】
2004224275.tif 000006
【図５】
2004224275.tif 000007
【図６】
2004224275.tif 000008
【図７】
2004224275.tif 000009
【図８】
2004224275.tif 000010
【図９】
2004224275.tif 000011
【図１０】
2004224275.tif 000012